(57)【要約】ラウドスピーカエンクロージャは方形のキャビネット（１０）を有し、このキャビネットの１つの垂直壁部には音響ポート（１４）が装着されている。ラウドスピーカ（１８）は、キャビネットの底壁部（１６）に取付けられ、キャビネット（１０）の内部空間側とは反対の方向に向くようにされる。高音響抵抗性発泡体（２０）がラウドスピーカの前方に取付けられており、ラウドスピーカの直接放射を制限するようになっているため、有効な音響放射が音響ポート（１４）から放出される。
2004517537.tif 000002
【特許請求の範囲】
【請求項１】
ラウドスピーカ収容室であって、この収容室はその壁部内にラウドスピーカをこの収容室の内部空間側とは反対の方向に向くように装着するためのものである当該収容室と、
この収容室の他の壁部内に装着したポートと、
前記ラウドスピーカの前方に配置され、このラウドスピーカからの直接放射の量を制限し、これにより殆どの有効な音響放射が前記ポートから放出されるようにする高音響抵抗性発泡材料と
を有するラウドスピーカエンクロージャ。
【請求項２】
請求項１に記載のラウドスピーカエンクロージャにおいて、前記収容室が方形であるラウドスピーカエンクロージャ。
【請求項３】
請求項２に記載のラウドスピーカエンクロージャにおいて、前記ラウドスピーカを装着する壁部に隣接している壁部に、前記ポートが装着されているラウドスピーカエンクロージャ。
【請求項４】
キャビネットと、
このキャビネット内に装着され、テレビジョンの信号を処理しビデオ及び音声信号を形成するための回路と、
前記キャビネット内に装着され、且つ前記回路に接続され前記ビデオ信号を表示するためのディスプレイと、
前記キャビネット内に装着され、且つ前記回路に接続され前記音声信号を再生するための音声再生手段と
を具えるテレビジョン受像機において、
前記音声再生手段が、請求項１に記載した少なくとも１つのラウドスピーカエンクロージャを有し、前記ポートが前記キャビネットの外側に音声放射するようになっているテレビジョン受像機。
【発明の詳細な説明】
【０００１】
本発明は、ラウドスピーカエンクロージャ、特に通気式（ヴェンテッド型）ラウドスピーカエンクロージャに関するものである。さらに、本発明はテレビジョン受像機にも関するものである。
【０００２】
最も低い音声周波数を、大型のエンクロージャに頼ることなく高音質にラウドスピーカで再生するのは困難である。
【０００３】
この問題の１つの解決策は通気式エンクロージャである。米国特許第３０３７０８１号明細書は音響共鳴器の形態のこのようなエンクロージャを開示しており、このエンクロージャでは、ラウドスピーカの振動板が共鳴器の壁部の一部を形成している。このエンクロージャは少なくとも１つのポートを有している。
【０００４】
このようなエンクロージャでは、低周波において、周波数応答曲線が円滑で、過渡応答が良好で、非線形ひずみが低いが、低周波性能には依然として欠けるものがある。
【０００５】
本発明の目的は、小さな寸法で且つ低周波数性能が良好なラウドスピーカエンクロージャ又はユニットを提供することにある。
【０００６】
上述した目的は、ラウドスピーカ収容室であって、この収容室はその壁部内にラウドスピーカをこの収容室の内部空間側とは反対の方向に向くように装着するためのものである当該収容室と、この収容室の他の壁部内に装着したポートと、前記ラウドスピーカの前方に配置され、このラウドスピーカからの直接放射の量を制限し、これにより殆どの有効な音響放射が前記ポートから放出されるようにする高音響抵抗性発泡材料とを有するラウドスピーカエンクロージャにより達成される。
【０００７】
本発明者は、レフレックス型エンクロージャの同調周波数より低い周波数では、ドライバ放射とポート放射とが互いに逆位相となり、これにより有効な音響出力を相殺する傾向にあることを確かめた。スピーカの直接放射を制限することにより、ポート放射は、通気式エンクロージャの低周波応答を少なくとも１オクターブだけ広げることができる。本発明によるラウドスピーカエンクロージャの例は請求項２及び３に規定してある。
本発明によるテレビジョン受像機は、請求項４に規定するような特徴がある。
【０００８】
本発明の上述の及びその他の目的及び利点は、添付の図面を用いた以下の実施例の説明により明らかとなるであろう。
図１はラウドスピーカエンクロージャ（ボックス）の断面図である。このエンクロージャは、少なくとも１つの垂直側壁部１２を有する方形のキャビネット１０を具えている。この側壁部１２には音響ポート１４が取付けられている。キャビネット１０の底壁部１６には、ラウドスピーカ１８が取付けられており、このラウドスピーカ１８はキャビネット１０の内部空間側とは逆の方向を向いている。このラウドスピーカ１８の直前の領域は、高音響抵抗性発泡材料２０により充填されている。このような構成により、本発明のラウドスピーカエンクロージャは、低周波応答が少なくとも１オクターブ分、例えば６０Ｈｚから３０Ｈｚまで広がる。
【０００９】
このラウドスピーカエンクロージャの実際例においては、キャビネットは、一辺が１３インチ（３３．０２ｃｍ）の立方体とする。これにより、このキャビネットの内部容積は、１立方フィート（２８３２０ｃｍ３）となる。ポートの長さは２．６５インチ（６７．３１ｍｍ）とし、その面積を１２．７５平方インチ（８１ｃｍ２）とする。ラウドスピーカは、公称インピーダンスを７Ωとし、直径を８インチ（２０ｃｍ）とする。
【００１０】
図２は、ラウドスピーカエンクロージャの等価回路図である。ラウドスピーカへの入力をシミュレートする交流電圧源が、抵抗Ｒ１及びインダクタＬ１に接続されている。インダクタＬ２と、第１キャパシタＣ１と、抵抗Ｒ２と、第２キャパシタＣ２と、キャパシタＣ３及び抵抗Ｒ３の直列回路とより成る並列回路が、インダクタＬ１を接地している。インダクタＬ３及び抵抗Ｒ４の直列回路のインダクタＬ３がインダクタＬ１に接続されており、抵抗Ｒ４が、キャパシタＣ４と、抵抗Ｒ５と、キャパシタＣ５及び抵抗Ｒ６の直列回路とより成る並列回路を経て接地されている。キャパシタＣ３と抵抗Ｒ３との間の相互接続点は、抵抗Ｒ７を通って演算増幅器Ａ１の反転入力端に接続されており、抵抗Ｒ８がこの演算増幅器Ａ１の非反転入力端を接地しており、抵抗Ｒ９がこの反転入力端を演算増幅器Ａ１の出力端に接続している。キャパシタＣ５と抵抗Ｒ６との間の相互接続点が抵抗Ｒ１０によりラウドスピーカの出力端に接続されており、演算増幅器Ａ１の出力端は抵抗Ｒ１１によりラウドスピーカの出力端に接続されている。演算増幅器Ａ１は、この演算増幅器Ａ１の反転入力部に供給されるラウドスピーカの直接放射と、抵抗Ｒ１０を介して演算増幅器Ａ１の出力端に供給される後方放射との間の差異をシミュレートするのに必要な位相反転を生ぜしめる作用をする。
【００１１】
これらの構成素子の値は次の通りである。
抵抗 値
Ｒ１                          ７．５Ω
Ｒ２                          ４７．４３Ω
Ｒ３                          ０．１Ω
Ｒ４                          ０．５１Ω
Ｒ５                          ９８４．６Ω
Ｒ６                          ０．６７Ω
Ｒ７                          ４．７３２ＫΩ
Ｒ８、Ｒ９、Ｒ１１            １０ＫΩ
Ｒ１０                        ２．０４１ＫΩ
キャパシタ 値
Ｃ１                          ７９．８２μＦ
Ｃ２、Ｃ３                    ７７．５４μＦ
Ｃ４                          ３５４．３９μＦ
Ｃ５                          １２４．６７μＦ
インダクタ 値
Ｌ１                          １ｍＨ
Ｌ２                          ３２．８５ｍＨ
Ｌ３                          １１．６３ｍＨ
【００１２】
図３は、ドライバの直接放射の量を変化させた場合の、本発明のラウドスピーカエンクロージャの応答曲線を示す。ドライバを自由に放射させた場合には、高周波応答（１００Ｈｚよりも高い）は満足できるものだが、低周波応答（約７０Ｈｚよりも低い）は急激に落ちることに注意すべきである。ドライバの放射を制限した場合には、高周波応答はやや制限されるが、低周波応答は極めて向上する。ドライバの直接放射を完全に遮断することにより、特性がより向上するはずであるとも思えるが、応答曲線は、低周波応答がやや向上し得るが、高周波応答は極めて悪影響を受けることを示している。
【００１３】
本発明のラウドスピーカエンクロージャは、これを例えばプロジェクションテレビジョン受像機内で用いる場合のように、大きなキャビネットに対して使用できる。この場合には、ポートをテレビジョン受像機のキャビネットの外側に連通させる必要がある。
【００１４】
図４は、本発明のラウドスピーカエンクロージャを、種々の寸法の他のキャビネット内に配置した際の応答曲線を示す。
【００１５】
本発明は上述した実施例に限定されず、幾多の変更を加え得ること勿論である。
【図面の簡単な説明】
【図１】本発明によるラウドスピーカエンクロージャの断面図である。
【図２】本発明のラウドスピーカエンクロージャの等価回路図である。
【図３】直接放射の量を変化させた場合の、本発明のラウドスピーカエンクロージャの応答曲線である。
【図４】本発明のラウドスピーカエンクロージャを他のキャビネット内に設けた際の、当該ラウドスピーカエンクロージャの応答曲線である。
【図３】
2004517537.tif 000003
【図４】
2004517537.tif 000004
【国際公開パンフレット】
2004517537.tif 000005
2004517537.tif 000006
2004517537.tif 000007
2004517537.tif 000008
2004517537.tif 000009
2004517537.tif 000010
2004517537.tif 000011
2004517537.tif 000012
【国際公開パンフレット（コレクトバージョン）】
2004517537.tif 000013
【国際調査報告】
2004517537.tif 000014
2004517537.tif 000015
2004517537.tif 000016